(57)【要約】【課題】カメラ付き携帯電話等の携帯端末装置において取得された画像データに対して、撮影者の意図を反映させた画像処理を施す。【解決手段】カメラ付き携帯電話１において取得された画像データＳ０に対して画像処理手段１３において画像処理を施して処理済み画像データＳ１を得る。これを液晶モニタ１４に表示し、カメラ付き携帯電話１のユーザの入力手段１７からの指示によりさらにユーザの意図を反映させた補正を画像補正手段１８において行って、補正処理済み画像データＳ１′を得、これと画像データＳ０とを液晶モニタ１４に分割表示する。【選択図】　　　　　図１
2004030251.tif 000002
【特許請求の範囲】
【請求項１】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置における前記画像データの送信方法において、
前記処理済み画像データに対する画像補正指示の入力を受けて、該処理済み画像データに対して画像補正処理を施して補正処理済み画像データを得、
前記画像データまたは該補正処理済み画像データを、該画像データまたは該補正処理済み画像データを保管管理する画像サーバに送信することを特徴とする画像データ送信方法。
【請求項２】
前記画像データおよび前記補正処理済み画像データを前記表示手段に分割表示し、
前記画像データまたは前記補正処理済み画像データの送信指示を受け付け、
該送信指示がなされた前記画像データまたは前記補正処理済み画像データを前記画像サーバに送信することを特徴とする請求項１記載の画像データ送信方法。
【請求項３】
複数段階に補正がなされた複数の補正処理済み画像データおよび前記画像データを前記表示手段に分割表示し、
前記画像データまたは１つの前記補正処理済み画像データの送信指示を受け付け、
該送信指示がなされた前記画像データまたは前記１つの補正処理済み画像データを前記画像サーバに送信することを特徴とする請求項１記載の画像データ送信方法。
【請求項４】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置における前記画像データの送信方法において、
前記処理済み画像データに対する画像補正指示の入力を受けて、該処理済み画像データに対して画像補正処理を施して補正処理済み画像データを得、
前記画像処理および前記画像補正処理の処理パラメータを前記画像データとともに該画像データを保管管理する画像サーバに送信することを特徴とする画像データ送信方法。
【請求項５】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置において、
前記処理済み画像データに対する画像補正指示の入力を受けて、該処理済み画像データに対して画像補正処理を施して補正処理済み画像データを得る画像補正手段と、
前記画像データまたは該補正処理済み画像データを、該画像データまたは該補正処理済み画像データを保管管理する画像サーバに送信する制御手段とをさらに備えたことを特徴とする携帯端末装置。
【請求項６】
前記制御手段は、前記画像データおよび前記補正処理済み画像データを前記表示手段に分割表示し、前記画像データまたは前記補正処理済み画像データの送信指示を受け付け、該送信指示がなされた前記画像データまたは前記補正処理済み画像データを前記画像サーバに送信する手段であることを特徴とする請求項５記載の携帯端末装置。
【請求項７】
前記制御手段は、複数段階に補正がなされた複数の補正処理済み画像データおよび前記画像データを前記表示手段に分割表示し、前記画像データまたは１つの前記補正処理済み画像データの送信指示を受け付け、該送信指示がなされた前記画像データまたは前記１つの補正処理済み画像データを前記画像サーバに送信する手段であることを特徴とする請求項５記載の携帯端末装置。
【請求項８】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置において、
前記処理済み画像データに対する画像補正指示の入力を受けて、該処理済み画像データに対して画像補正処理を施して補正処理済み画像データを得る画像補正手段と、
前記画像処理および前記画像補正処理の処理パラメータを前記画像データとともに該画像データを保管管理する画像サーバに送信する制御手段とを備えたことを特徴とする携帯端末装置。
【請求項９】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置における前記画像データの送信方法をコンピュータに実行させるためのプログラムにおいて、
前記処理済み画像データに対する画像補正指示の入力を受けて、該処理済み画像データに対して画像補正処理を施して補正処理済み画像データを得る手順と、前記画像データまたは該補正処理済み画像データを、該画像データまたは該補正処理済み画像データを保管管理する画像サーバに送信する手順とを有するプログラム。
【請求項１０】
前記画像データおよび前記補正処理済み画像データを前記表示手段に分割表示する手順と、
前記画像データまたは前記補正処理済み画像データの送信指示を受け付ける手順とをさらに有し、
前記送信する手順は、該送信指示がなされた前記画像データまたは前記補正処理済み画像データを前記画像サーバに送信する手順である請求項９記載のプログラム。
【請求項１１】
複数段階に補正がなされた複数の補正処理済み画像データおよび前記画像データを前記表示手段に分割表示する手順と、
前記画像データまたは１つの前記補正処理済み画像データの送信指示を受け付ける手順とをさらに有し、
前記送信する手順は、該送信指示がなされた前記画像データまたは前記１つの補正処理済み画像データを前記画像サーバに送信する手順である請求項９記載のプログラム。
【請求項１２】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置における前記画像データの送信方法をコンピュータに実行させるためのプログラムにおいて、
前記処理済み画像データに対する画像補正指示の入力を受けて、該処理済み画像データに対して画像補正処理を施して補正処理済み画像データを得る手順と、前記画像処理および前記画像補正処理の処理パラメータを前記画像データとともに該画像データを保管管理する画像サーバに送信する手順とを有するプログラム。
【発明の詳細な説明】
【０００１】
【発明の属する技術分野】
本発明は、撮影により画像データを取得するとともに、これを画像サーバに送信するカメラ付き携帯電話等の携帯端末装置および携帯端末装置における画像データ送信方法並びに画像データ送信方法をコンピュータに実行させるためのプログラムに関するものである。
【０００２】
【従来の技術】
携帯電話の普及には目覚ましいものがあるが、近年、撮影により画像データを取得する撮影手段を有するカメラ付き携帯電話が普及しつつある（例えば特開平６−２３３０２０号公報、同９−３２２１１４号公報、同１０−１５０５２３号公報、特開２０００−２５３２９０号公報等）。このようなカメラ付き携帯電話を用いることにより、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００３】
また、カメラ付き携帯電話の機能が向上し、プリント出力を行うのに十分なサイズを有する画像データをカメラ付き携帯電話において取得することも可能となってきている。
【０００４】
一方、カメラ付き携帯電話において取得された画像データに対して、種々の画像処理を施して処理済み画像データを得たり、画像データをプリント出力したり、ネットワーク上にアップロードすることが行われている。これにより、ユーザは高画質の画像を取得したり、プリントを取得したり、ネットワーク上において画像を閲覧する等できるため、通信による画像データの利用形態の多様化を図ることができる。
【０００５】
このようなカメラ付き携帯電話において取得された画像データの利用は、画像データを撮像したカメラ付き携帯電話から、画像データの保管管理を行う画像サーバに画像データを送信し、画像サーバにおいて画像データの保管場所を表すＵＲＬを付与した電子メールを生成し、この電子メールを画像データの送信先の携帯電話、パソコンやＰＤＡ等の端末装置、プリント出力を行うラボ等に送信し、電子メールの送信を受けた携帯電話、端末装置またはラボ等からＵＲＬを参照して画像データをダウンロードすることにより行われている。
【０００６】
【発明が解決しようとする課題】
ところで、画像データに対して施す画像処理は、画像データを取得したカメラ付き携帯電話において行うことができる。しかしながら、カメラ付き携帯電話においては、画像データに基づいて自動的に算出された画像処理パラメータに基づいて画像データに対して画像処理が施されるため、もう少し明るくしたい、赤色を強く出したい等の撮影者であるユーザの意図を画像データに反映させることができなかった。
【０００７】
本発明は上記事情に鑑みなされたものであり、カメラ付き携帯電話等の携帯端末装置において取得された画像データに対して、撮影者であるユーザの意図を反映させた画像処理を施すことを目的とする。
【０００８】
【課題を解決するための手段】
本発明による第１の画像データ送信方法は、撮影により画像データを取得する撮影手段と、データの送受信を行う通信手段と、前記画像データに対して画像処理を施して処理済み画像データを得る画像処理手段と、種々の表示を行う表示手段とを備えた携帯端末装置における前記画像データの送信方法において、
前記処理済み画像データに対する画像補正指示の入力を受けて、該処理済み画像データに対して画像補正処理を施して補正処理済み画像データを得、
前記画像データまたは該補正処理済み画像データを、該画像データまたは該補正処理済み画像データを保管管理する画像サーバに送信することを特徴とするものである。
【０００９】
なお、本発明による第１の画像データ送信方法においては、前記画像データおよび前記補正処理済み画像データを前記表示手段に分割表示し、
前記画像データまたは前記補正処理済み画像データの送信指示を受け付け、
該送信指示がなされた前記画像データまたは前記補正処理済み画像データを前記画像サーバに送信するようにしてもよい。
【００１０】
また、本発明による第１の画像データ送信方法においては、複数段階に補正がなされた複数の補正処理済み画像データおよび前記画像データを前記表示手段に分割表示し、
前記画像データまたは１つの前記補正処理済み画像データの送信指示を受け付け、
該送信指示がなされた前記画像データまたは前記１つの補正処理済み画像データを前記画像サーバに送信するようにしてもよい。
【００１１】
なお、「分割表示」は、時分割であっても画面分割であってもよい。
【００１２】
本発明による第２の画像データ送信方法は、撮影により画像データを取得する撮影手段と、データの送受信を行う通信手段と、前記画像データに対して画像処理を施して処理済み画像データを得る画像処理手段と、種々の表示を行う表示手段とを備えた携帯端末装置における前記画像データの送信方法において、
前記処理済み画像データに対する画像補正指示の入力を受けて、該処理済み画像データに対して画像補正処理を施して補正処理済み画像データを得、
前記画像処理および前記画像補正処理の処理パラメータを前記画像データとともに該画像データを保管管理する画像サーバに送信することを特徴とするものである。
【００１３】
本発明による第１の携帯端末装置は、撮影により画像データを取得する撮影手段と、データの送受信を行う通信手段と、前記画像データに対して画像処理を施して処理済み画像データを得る画像処理手段と、種々の表示を行う表示手段とを備えた携帯端末装置において、
前記処理済み画像データに対する画像補正指示の入力を受けて、該処理済み画像データに対して画像補正処理を施して補正処理済み画像データを得る画像補正手段と、
前記画像データまたは該補正処理済み画像データを、該画像データまたは該補正処理済み画像データを保管管理する画像サーバに送信する制御手段とをさらに備えたことを特徴とするものである。
【００１４】
なお、本発明による第１の携帯端末装置においては、前記制御手段を、前記画像データおよび前記補正処理済み画像データを前記表示手段に分割表示し、前記画像データまたは前記補正処理済み画像データの送信指示を受け付け、該送信指示がなされた前記画像データまたは前記補正処理済み画像データを前記画像サーバに送信する手段としてもよい。
【００１５】
また、本発明による第１の携帯端末装置においては、前記制御手段を、複数段階に補正がなされた複数の補正処理済み画像データおよび前記画像データを前記表示手段に分割表示し、前記画像データまたは１つの前記補正処理済み画像データの送信指示を受け付け、該送信指示がなされた前記画像データまたは前記１つの補正処理済み画像データを前記画像サーバに送信する手段としてもよい。
【００１６】
本発明による第２の携帯端末装置は、撮影により画像データを取得する撮影手段と、データの送受信を行う通信手段と、前記画像データに対して画像処理を施して処理済み画像データを得る画像処理手段と、種々の表示を行う表示手段とを備えた携帯端末装置において、
前記処理済み画像データに対する画像補正指示の入力を受けて、該処理済み画像データに対して画像補正処理を施して補正処理済み画像データを得る画像補正手段と、
前記画像処理および前記画像補正処理の処理パラメータを前記画像データとともに該画像データを保管管理する画像サーバに送信する制御手段とを備えたことを特徴とするものである。
【００１７】
なお、本発明による第１および第２の画像データ送信方法をコンピュータに実行させるためのプログラムとして提供してもよい。
【００１８】
【発明の効果】
本発明による第１の画像データ送信方法および携帯端末装置によれば、撮影により取得された画像データに対して画像処理手段において画像処理が施されて処理済み画像データが得られ、携帯端末装置のユーザによる画像補正指示の入力を受けて、処理済み画像データに対して画像補正処理が施されて補正処理済み画像データが得られる。そして画像データまたは補正処理済み画像データが、画像サーバに送信される。
【００１９】
このため、撮影者である携帯端末装置のユーザの意図を反映させた補正処理済み画像データまたは携帯端末装置においては画像処理や画像補正処理を行わないというユーザの意図を反映させた画像データを画像サーバに送信することができる。
【００２０】
また、画像データおよび補正処理済み画像データを表示手段に分割表示し、画像データまたは補正処理済み画像データの送信指示を受け付け、送信指示がなされた画像データまたは補正処理済み画像データの送信を行うようにすれば、画像処理についてのユーザの意図を確実に反映させた画像データまたは補正処理済み画像データを画像サーバに送信することができる。
【００２１】
また、画像データおよび複数段階に画像補正がなされた複数の補正処理済み画像データを表示手段に分割表示し、画像データまたは１の補正処理済み画像データの送信指示を受け付け、送信指示がなされた画像データまたは１の補正処理済み画像データの送信を行うようにすれば、画像処理についてのユーザの意図を確実に反映させた画像データまたは１の補正処理済み画像データを画像サーバに送信することができる。
【００２２】
本発明による第２の画像データ送信方法および携帯端末装置によれば、撮影により取得された画像データに対して画像処理手段において画像処理が施されて処理済み画像データが得られ、携帯端末装置のユーザによる画像補正指示の入力を受けて、処理済み画像データに対して画像補正処理が施されて補正処理済み画像データが得られる。そして画像補正処理の処理パラメータが画像データに付与されて画像サーバに送信される。
【００２３】
このため、画像サーバまたは画像サーバ以降の画像データの送信先において、処理パラメータを参照することにより、撮影者である携帯端末装置のユーザの意図を反映させた補正処理済み画像データを得ることができる。
【００２４】
【発明の実施の形態】
以下図面を参照して本発明の実施形態について説明する。図１は本発明の実施形態による携帯端末装置を備えた画像処理システムの構成を示す概略ブロック図である。図１に示すように本実施形態による画像処理システムは、カメラ付き携帯電話１，２と、カメラ付き携帯電話１，２において取得された画像データＳ０を保管管理する画像サーバ３と、画像データＳ０をプリント出力するラボ４との間で、画像データＳ０や種々の情報のやり取りを携帯電話通信網５を介して行うものである。
【００２５】
カメラ付き携帯電話１は、撮影により画像データＳ０を取得するカメラ１１と、画像データＳ０や種々の情報の送受信を行う通信手段１２と、画像データＳ０に対して画像処理を施して処理済み画像データＳ１を得る画像処理手段１３と、画像や電話番号等種々の表示を行う液晶モニタ１４と、カメラ付き携帯電話１の動作を制御するコントローラ１５と、後述するように画像データＳ０の用途および／または画質に基づいて、画像データＳ０に対して画像処理を施す場所を決定して場所情報Ｂ０を生成する画像処理場所決定手段１６と、カメラ１１による撮影の操作、画像データＳ０の送信指示、画像データＳ０の用途および／または画質の入力、画像データＳ０または処理済み画像データＳ１の送信先、プリント出力を行うか否かの指定、画像サーバ３に保管しておくか否かの指定、画像データＳ０に画像処理を施す際の指示、画像補正指示等、種々の情報の入力を行う複数のボタンからなる入力手段１７と、カメラ付き携帯電話１のユーザによる入力手段１７からの入力に応じて処理済み画像データＳ１に対して画像補正処理を施して補正処理済み画像データＳ１′を得る画像補正手段１８とを備える。
【００２６】
カメラ付き携帯電話２は、撮影により画像データＳ０を取得するカメラ２１と、画像データＳ０や種々の情報の送受信を行う通信手段２２と、画像データＳ０に対して画像処理を施して処理済み画像データＳ２を得る画像処理手段２３と、画像や電話番号等種々の表示を行う液晶モニタ２４と、カメラ付き携帯電話２の動作を制御するコントローラ２５と、後述するように画像データＳ０の用途および／または画質に基づいて、画像データＳ０に対して画像処理を施す場所を決定して場所情報Ｂ０を生成する画像処理場所決定手段２６と、カメラ２１による撮影の操作、画像データＳ０の送信指示、画像データＳ０の用途および／または画質の入力、画像データＳ０または処理済み画像データＳ２の送信先、プリント出力を行うか否かの指定、画像サーバ３に保管しておくか否かの指定、画像データＳ０に画像処理を施す際の指示。画像補正指示等、種々の情報の入力を行う複数のボタンからなる入力手段２７と、カメラ付き携帯電話２のユーザによる入力手段２７からの入力に応じて処理済み画像データＳ２に対して画像補正処理を施して補正処理済み画像データＳ２′を得る画像補正手段２８とを備える。
【００２７】
なお、本実施形態においては、カメラ付き携帯電話１において画像データＳ０を取得し、画像データＳ０に対して画像処理および画像補正処理を行って、画像データＳ０または補正処理済み画像データＳ１′を画像サーバ３に送信するものとする。
【００２８】
また、本実施形態においては、カメラ付き携帯電話１において画像データＳ０に画像処理を施す画像処理場所を決定し、カメラ付き携帯電話２を画像データＳ０または補正処理済み画像データＳ１′の送信先の１つとして指定するものとする。
【００２９】
画像処理手段１３は、画像データＳ０に対して濃度補正処理、ホワイトバランス調整処理、階調補正処理、色補正処理、シャープネス処理等の画像処理を施して処理済み画像データＳ１を得る。なお、画像処理手段１３は、後述する画像サーバ３やラボ４の画像処理手段ほど高度な画像処理を行うことができないものである。したがって、得られる処理済み画像データＳ１は、液晶モニタ１４のように比較的小さいサイズのモニタに表示するには問題ないが、プリント出力したりパソコンのモニタのような大きいサイズのモニタに表示するには適さないものである。
【００３０】
画像処理場所決定手段１６は、カメラ付き携帯電話１のユーザが入力手段１７から入力した画像データＳ０の用途および／または画質に基づいて、画像データＳ０に対して画像処理を施す場所を決定して、画像処理を施す場所を表す場所情報Ｂ０を生成する。例えば、画像データＳ０の用途が携帯電話のモニタへの表示である旨が入力された場合および／または低画質の旨が入力された場合には、画像データＳ０はそれほど高い画質は要求されないことから、画像処理場所決定手段１６は、画像処理場所をカメラ付き携帯電話１に決定して場所情報Ｂ０を生成する。なお、画像データＳ０をカメラ付き携帯電話２に送信する場合には、画像処理場所をカメラ付き携帯電話２と決定して場所情報Ｂ０を生成してもよい。この場合、画像処理場所の決定は、入力手段１７から入力される画像データＳ０の送信先情報に基づいて行えばよい。
【００３１】
なお、用途および／または画質は入力手段１７から直接入力してもよいが、液晶モニタ１４に種々の用途および／または画質を表示して、ユーザに所望とする用途および／または画質を選択させるようにしてもよい。
【００３２】
また、画像データＳ０の用途が画像サーバ３への保管である場合には、画像データＳ０がパソコン等の端末装置にダウンロードされてモニタに表示されて用いられることから、画像データＳ０にはプリント出力ほどではないが中程度の画質が要求される。したがって、画像データＳ０の用途が画像サーバ３への保管である場合および／または中程度の画質の旨が入力された場合には、画像処理場所決定手段１６は、画像データＳ０には中程度の画質が要求されることから、画像処理場所を画像サーバ３に決定して場所情報Ｂ０を生成する。
【００３３】
さらに、画像データＳ０の用途がプリント出力である場合には、画像データＳ０には高画質が要求される。また、画像データＳ０を高画質にしたい場合はプリント出力を所望する場合が多い。したがって、画像データＳ０の用途がプリント出力である場合および／または高画質の旨が入力された場合には、画像処理場所決定手段１６は、画像データＳ０には高画質が要求されることから、画像処理場所をラボ４に決定して場所情報Ｂ０を生成する。
【００３４】
画像補正手段１８は、カメラ付き携帯電話１のユーザによる入力手段１７からの入力に応じて処理済み画像データＳ１に対して画像補正処理を施して補正処理済み画像データＳ１′を得る。具体的には、液晶モニタ１４に表示された処理済み画像データＳ１の全体の濃度、各色（シアン、マゼンタ、イエロー）の濃度、ホワイトバランス、階調、色およびシャープネスを、ユーザによる入力手段１７からの入力に基づいて補正する。ここで、入力手段１７を構成する各ボタンには全体の濃度、シアンの濃度、マゼンタの濃度およびイエローの濃度の補正、ホワイトバランスの補正、階調の補正、色の補正並びにシャープネスの補正が割り当てられており、ユーザは所定の入力手段を操作することにより、全体の濃度、シアンの濃度、マゼンタの濃度、イエローの濃度、ホワイトバランス、階調、色およびシャープネスを補正することができる。
【００３５】
なお、画像処理場所がカメラ付き携帯電話１である場合において、何ら画像補正を行わなかった場合には、処理済み画像データＳ１がそのまま画像サーバ３に送信されるが、この場合の処理済み画像データＳ１についても、補正量が０による補正が行われたものとみなして、補正処理済み画像データＳ１′と称するものとする。
【００３６】
一方、入力手段１７の操作により、画像データＳ０および補正処理済み画像データＳ１′を液晶モニタ１４に分割表示することができる。図２は、画像データＳ０および補正処理済み画像データＳ１′を液晶モニタ１４に分割表示した状態を示す図である。なお、画像データＳ０および補正処理済み画像データＳ１′の全体を液晶モニタ１４に一度に表示することは困難であるため、画像データＳ０により表される原画像および補正処理済み画像データＳ１′により表される補正画像の中央部分がトリミングされて液晶モニタ１４に分割表示される。また、いずれの画像が補正画像であるかを明確にするために、原画像には「補正前」、補正画像には「補正後」の表示がなされる。
【００３７】
なお、液晶モニタ１４を分割して表示するのに代えて、図３に示すように、原画像および補正画像を交互に液晶モニタ１４に表示してもよい。この場合、入力手段１７の操作により表示される画像を切り替えてもよいが、所定時間毎（例えば２秒）毎に交互に原画像および補正画像を切り替え表示してもよい。
【００３８】
また、カメラ付き携帯電話１のユーザによる入力手段１７の操作により画像サーバ３に送信する画像データが選択される。
【００３９】
通信手段１２は、画像データＳ０または補正処理済み画像データＳ１′を、場所情報Ｂ０および画像データＳ０または補正処理済み画像データＳ１′の送信先を表す送信先情報（例えば、ラボ４、カメラ付き携帯電話２、カメラ付き携帯電話１のユーザの友人のメールアドレス等）とともに携帯電話通信網５を介して画像サーバ３へ送信する。なお、画像データＳ０の用途がプリント出力である場合には、プリントの受け取り先を表す受け取り先情報（相手を特定できればよいため、例えば携帯電話の番号等でもよい）も送信される。
【００４０】
ここで、未処理の画像データＳ０が送信されるのは、画像処理場所が画像サーバ３、ラボ４およびカメラ付き携帯電話２に決定された場合である。一方、画像処理場所がカメラ付き携帯電話１に決定された場合には、画像処理手段１３において画像データＳ０に対して画像処理が施されて処理済み画像データＳ１が得られ、さらに上述したように処理済み画像データＳ１が補正されて補正処理済み画像データＳ１′が得られ、これが場所情報Ｂ０（この場合カメラ付き携帯電話１を表す）とともに画像サーバ３へ送信される。
【００４１】
なお、カメラ付き携帯電話２の通信手段２２、画像処理手段２３、画像処理場所決定手段２６および画像補正手段２８は、通信手段１２、画像処理手段１３、画像処理場所決定手段１６および画像補正手段１８と同様の機能を有する。
【００４２】
画像サーバ３は、画像データＳ０等種々の情報の送受信を行う通信手段３１と、画像データＳ０に対して画像処理を施して処理済み画像データＳ３を得る画像処理手段３２と、カメラ付き携帯電話１から送信された画像データＳ０または補正処理済み画像データＳ１′を保管する保管手段３３と、画像データＳ０または補正処理済み画像データＳ１′の保管場所を表すＵＲＬを生成するＵＲＬ生成手段３４と、ＵＲＬ生成手段３４において生成されたＵＲＬが付与された電子メールを作成するメール作成手段３５と、画像サーバ３の動作を制御するコントローラ３６とを備える。
【００４３】
画像処理手段３２は、カメラ付き携帯電話１から画像データＳ０が送信され、かつ場所情報Ｂ０に基づく画像処理場所が画像サーバ３である場合に、画像データＳ０に対して濃度補正処理、ホワイトバランス調整処理、階調補正処理、色補正処理、シャープネス処理等の画像処理を施して処理済み画像データＳ３を得る。なお、画像処理手段３２において行われる画像処理は、処理済み画像データＳ３をモニタに表示するのに適した画質にする画像処理である。
【００４４】
保管手段３３は、カメラ付き携帯電話１から補正処理済み画像データＳ１′が送信された場合には補正処理済み画像データＳ１′を保管する。また、未処理の画像データＳ０が送信された場合において、場所情報Ｂ０に基づく画像処理場所が画像サーバ３である場合には、画像処理手段３２において得られた処理済み画像データＳ３を保管する。さらに、未処理の画像データＳ０が送信された場合において、場所情報Ｂ０に基づく画像処理場所がカメラ付き携帯電話２またはラボ４である場合には、未処理の画像データＳ０を保管する。
【００４５】
ＵＲＬ生成手段３４は、画像データＳ０、補正処理済み画像データＳ１′または処理済み画像データＳ３の保管場所を表すＵＲＬを生成する。
【００４６】
メール作成手段３５は、画像データＳ０または補正処理済み画像データＳ１′とともに送信された送信先情報に基づいて、ＵＲＬ生成手段３４において生成されたＵＲＬが付与された電子メールを作成する。なお、作成された電子メールは、通信手段３１により送信先情報に基づく送信先に携帯電話通信網５を介して送信される。
【００４７】
ラボ４は、画像データＳ０等種々の情報の送受信を行う通信手段４１と、画像データＳ０に対して画像処理を施して処理済み画像データＳ４を得る画像処理手段４２と、処理済み画像データＳ４をプリント出力してプリントＰを作成するプリンタ４３と、プリントＰが作成された場合にその旨をカメラ付き携帯電話１に通知する通知手段４４と、ラボ４の動作を制御するコントローラ４５とを備える。
【００４８】
ラボ４は、画像サーバ３から送信された電子メールを受信すると、電子メールに付与されたＵＲＬを参照して、通信手段４１において画像サーバ３の保管手段３３から画像データＳ０をダウンロードする。なお、画像データＳ０のダウンロードと同時に、プリントＰの受け取り先を表す受け取り先情報もダウンロードする。
【００４９】
画像処理手段４２は、画像サーバ３の保管手段３３からダウンロードした画像データＳ０に対して、濃度補正処理、ホワイトバランス調整処理、階調補正処理、色補正処理、シャープネス処理等の画像処理を施して処理済み画像データＳ４を得る。ここで、ラボ４に電子メールが送信された場合には、ラボ４において画像データＳ０に画像処理を施すことは明らかであるが、場所情報Ｂ０を参照して画像処理場所がラボ４であることを確認することが好ましい。なお、画像処理手段４２において行われる画像処理は、処理済み画像データＳ４をプリント出力するのに適した画質にする画像処理である。
【００５０】
通知手段４４は、処理済み画像データＳ４のプリント出力が完了すると、受け取り先情報に基づく受け取り先に、プリント出力が完了した旨の通知を行う。通知は電子メールであっても電話の自動音声によるものであってもよい。なお、ラボ４のオペレータが受け取り先に電話をかけたり、マニュアル操作により電子メールを送信することによって、通知を行ってもよい。
【００５１】
なお、画像サーバ３からカメラ付き携帯電話２に電子メールが送信された場合には、カメラ付き携帯電話２のユーザは、ＵＲＬを参照して画像サーバ３の保管手段３３にアクセスして画像データＳ０または補正処理済み画像データＳ１′をダウンロードする。なお、補正処理済み画像データＳ１′をダウンロードした場合には、補正処理済み画像データＳ１′がそのまま液晶モニタ２４に表示される。一方、画像データＳ０をダウンロードした場合には、画像処理手段２３において画像データＳ０に対して画像処理が施されて処理済み画像データＳ２が得られ、これが液晶モニタ２４に表示される。さらに、カメラ付き携帯電話２のユーザの操作により、画像補正手段２８において処理済み画像データＳ２に対して画像補正処理が施されて補正処理済み画像データＳ２′が得られ、これが液晶モニタ２４に表示される。
【００５２】
なお、カメラ付き携帯電話２に未処理の画像データＳ０の保管場所を表すＵＲＬが付与された電子メールが送信された場合には、カメラ付き携帯電話２において画像データＳ０に画像処理を施すことは明らかであるが、場所情報Ｂ０を参照して画像処理場所がカメラ付き携帯電話２であることを確認することが好ましい。
【００５３】
ここで、画像処理手段１３および画像補正手段１８において行われる処理について説明する。図４は画像処理手段１３および画像補正手段１８において行われる処理を示す概略ブロック図である。まず、画像処理手段１３において行われる処理について説明する。
【００５４】
図４に示すように、画像処理手段１３においては、画像データＳ０はＪＰＥＧ形式等により圧縮されていることから、まず画像データＳ０が解凍され、次いで、画像データＳ０が縮小される。そして、縮小された画像データＳ０および画像データＳ０のタグ情報に付与された撮影時の撮影条件等に基づいて、画像データＳ０に対して画像処理を施す際の画像処理条件Ｊが算出される。
【００５５】
そして、算出された画像処理条件Ｊに基づいて、濃度補正処理、ホワイトバランス調整処理、階調補正処理、色補正処理、およびシャープネス処理が行われて処理済み画像データＳ１が得られる。なお、画像処理条件Ｊに基づく処理ではないが、シャープネス処理の前に画像データＳ０により表される画像のサイズを出力サイズ（プリントサイズ、モニタサイズ等）に合わせるための拡大処理が行われる。ここで、拡大処理には１未満の倍率の拡大処理も含まれる。
【００５６】
ここで、濃度補正処理およびホワイトバランス調整処理は、撮影時の露出エラーおよびホワイトバランスエラーを補正し、階調補正処理は、撮影時のシーンとプリントとのコントラストの相違を吸収し、色補正処理は、ＲＧＢ各色の色相、彩度、明度を補正し、シャープネス処理は画像の鮮鋭度を補正する。
【００５７】
画像補正手段１８においては、カメラ付き携帯電話１のユーザによる入力手段１７からの入力に基づいて、処理済み画像データＳ１により表される画像の濃度（全体の濃度、シアンの濃度、マゼンタの濃度、イエローの濃度）、ホワイトバランス、階調、色およびシャープネスを補正して補正処理済み画像データＳ１′を得る。具体的には、入力手段を押下した回数に応じて補正の程度が強くされて、濃度（全体、シアン、マゼンタ、イエロー）、ホワイトバランス、階調、色およびシャープネスが補正される。
【００５８】
なお、カメラ付き携帯電話２の画像処理手段２３、画像サーバ３の画像処理手段３２およびラボ４の画像処理手段４２においても同様に画像処理が行われる。また、カメラ付き携帯電話２、画像サーバ３およびラボ４においても、カメラ付き携帯電話１と同様に処理済み画像データＳ２，Ｓ３，Ｓ４に対して画像補正処理を施すようにしてもよい。なお、カメラ付き携帯電話２においては、画像補正手段２８において処理済み画像データＳ２に対して画像補正処理が施される。
【００５９】
ここで、カメラ付き携帯電話１，２および画像サーバ３においては、送信容量の制限や表示媒体の表示色の制限があることから、図４においてシャープネス処理後に、容量を低減するための圧縮処理や色数を低減するための減色処理が行われて処理済み画像データＳ１，Ｓ２、補正処理済み画像データＳ１′または処理済み画像データＳ３が得られる。ここで、カメラ付き携帯電話１，２の液晶モニタ１４，２４の色再現域は、パソコン等のモニタの色再現域よりも狭いため、狭い色再現域を有効に活用するように減色処理が行われる。
【００６０】
また、カメラ付き携帯電話１，２の画像処理手段１３，２３においては、画像サーバ３の画像処理手段３２またはラボ４の画像処理手段４２と比較して簡易な演算により画像データＳ０に対して画像処理が施される。さらに、色補正処理およびシャープネス処理が省略される場合もある。
【００６１】
一方、ラボ４の画像処理手段４２においては、図４のシャープネス処理後の破線に示すように、シャープネス処理後の画像データをプリンタ４３のデバイス信号に変換するプリント出力処理がさらに行われて、処理済み画像データＳ４が得られる。
【００６２】
次いで、本実施形態の動作について説明する。図５はカメラ付き携帯電話１において行われる処理を示すフローチャートである。まず、カメラ１１により撮影が行われて画像データＳ０が取得される（ステップＳ１）。一方、入力手段１７において、カメラ付き携帯電話１のユーザによる画像データＳ０の用途および／または画質の入力が受け付けられ（ステップＳ２）、入力された用途および／または画質に基づいて、画像処理場所決定手段１６において画像データＳ０に画像処理を施す画像処理場所が決定されて場所情報Ｂ０が生成される（ステップＳ３）。
【００６３】
そして、コントローラ１５により、場所情報Ｂ０が参照されて画像処理場所がカメラ付き携帯電話１であるか否かが判定される（ステップＳ４）。ステップＳ４が肯定された場合には、画像処理手段１３において画像データＳ０に対して画像処理が施されて処理済み画像データＳ１が得られる（ステップＳ５）。処理済み画像データＳ１は液晶モニタ１４に表示される（ステップＳ６）。なお、ステップＳ４が否定された場合には、後述するステップＳ１３に進む。
【００６４】
続いて、カメラ付き携帯電話１のユーザによる画像補正指示がなされたか否かの監視が開始され（ステップＳ７）、ステップＳ７が肯定されると、画像補正手段１８において、処理済み画像データＳ１に対して画像補正処理が施されて補正処理済み画像データＳ１′が得られ（ステップＳ８）、これが液晶モニタ１４に表示される（ステップＳ９）。
【００６５】
そして、ユーザによる分割表示の指示がなされたか否かが判定され（ステップＳ１０）、ステップＳ１０が肯定されると、画像データＳ０により表される原画像および補正処理済み画像データＳ１′により表される補正画像が液晶モニタ１４に分割表示される（ステップＳ１１）。なお、ステップＳ１０が否定されるとステップＳ７に戻る。
【００６６】
次いで、原画像または補正画像が選択されたか否かの監視が開始され（ステップＳ１２）、ステップＳ９が肯定されるとユーザによる送信指示がなされたか否かの監視が開始される（ステップＳ１３）。ステップＳ１３が肯定されると、画像データＳ０または補正処理済み画像データＳ１′が場所情報Ｂ０、送信先情報およびプリント出力を依頼する場合にはプリントＰの受け取り先情報とともに画像サーバ３に送信され（ステップＳ１４）、処理を終了する。
【００６７】
図６は画像サーバ３において行われる処理を示すフローチャートである。まず、カメラ付き携帯電話１から送信された画像データＳ０または補正処理済み画像データＳ１′が受信され（ステップＳ２１）、画像データＳ０または補正処理済み画像データＳ１′に付与された場所情報Ｂ０に基づいて、画像データＳ０に対する画像処理場所が判定される（ステップＳ２２）。
【００６８】
画像処理場所がカメラ付き携帯電話１であると判定された場合には、補正処理済み画像データＳ１′が送信されていることから、補正処理済み画像データＳ１′を保管手段３３に保管する（ステップＳ２３）。画像処理場所が、カメラ付き携帯電話２またはラボ４であると判定された場合には、未処理の画像データＳ０を保管手段３３に保管する（ステップＳ２４）。画像処理場所が画像サーバ３であると判定された場合には、画像処理手段３２において画像データＳ０に対して画像処理が施されて処理済み画像データＳ３が得られ（ステップＳ２５）、処理済み画像データＳ３が保管手段３３に保管される（ステップＳ２６）。
【００６９】
画像データＳ０または補正処理済み画像データＳ１′または処理済み画像データＳ３が保管されると、ＵＲＬ生成手段３４において、画像データＳ０、補正処理済み画像データＳ１′または処理済み画像データＳ３の保管場所を表すＵＲＬが生成される（ステップＳ２７）。そして、メール作成手段３５においてＵＲＬが付与された電子メールが作成され（ステップＳ２８）、画像データＳ０または補正処理済み画像データＳ１′とともに送信された送信先情報に応じた送信先に電子メールが送信され（ステップＳ２９）、処理を終了する。
【００７０】
なお、電子メールの送信先がカメラ付き携帯電話２である場合には、電子メールに付与されたＵＲＬが画像データＳ０のものであるか、補正処理済み画像データＳ１′のものであるかが電子メールに記述される。
【００７１】
図７はラボ４において行われる処理を示すフローチャートである。まず、画像サーバ３から送信された電子メールが受信される（ステップＳ３１）。次いで、通信手段４１が電子メールに付与されたＵＲＬにアクセスして（ステップＳ３２）、画像データＳ０がダウンロードされる（ステップＳ３３）。そして、画像処理手段４２において画像データＳ０に対して画像処理が施されて処理済み画像データＳ４が得られる（ステップＳ３４）。処理済み画像データＳ４はプリンタ４３においてプリント出力されてプリントＰが得られる（ステップＳ３５）。プリント出力が完了すると、通知手段４４によりプリントＰの受け取り先にプリント出力が完了した旨の通知がなされ（ステップＳ３６）、処理を終了する。
【００７２】
なお、プリントＰは、通知を受けた受け取り先（例えばカメラ付き携帯電話１）のユーザがラボ４に出向いて受け取るか、ラボ４からユーザに配送される。
【００７３】
図８はカメラ付き携帯電話２において行われる処理を示すフローチャートである。まず、画像サーバ３から送信された電子メールが受信される（ステップＳ４１）。次いで、通信手段４１が電子メールに付与されたＵＲＬにアクセスして（ステップＳ４２）、画像データＳ０または補正処理済み画像データＳ１′がダウンロードされる（ステップＳ４３）。
【００７４】
そして、電子メールの記述に基づいて、ダウンロードされた画像データが未処理の画像データＳ０か否かが判定され（ステップＳ４４）、ステップＳ４４が肯定されると、未処理の画像データＳ０がダウンロードされたことから、画像処理手段２３において画像データＳ０に対して画像処理が施されて処理済み画像データＳ２が得られる（ステップＳ４５）。処理済み画像データＳ２は液晶モニタ２４に表示され（ステップＳ４６）、処理を終了する。
【００７５】
一方、ステップＳ４４が否定されると、補正処理済み画像データＳ１′がダウンロードされたことから、補正処理済み画像データＳ１′が液晶モニタ２４に表示され（ステップＳ４６）、処理を終了する。
【００７６】
このように、本実施形態においては、カメラ付き携帯電話１の画像処理手段１３において得られた処理済み画像データＳ１に対して、カメラ付き携帯電話１のユーザの指示により画像補正処理を施して補正処理済み画像データＳ１′を得るようにしたため、カメラ付き携帯電話１のユーザの意図を反映させた補正処理済み画像データＳ１′またはカメラ付き携帯電話１においては画像処理や画像補正処理を行わないというユーザの意図を反映させた画像データＳ０を画像サーバ３に送信することができる。
【００７７】
また、画像データＳ０および補正処理済み画像データＳ１′を液晶モニタ１４に分割表示し、画像データＳ０または補正処理済み画像データＳ１′の送信指示を受け付け、送信指示がなされた画像データＳ０または補正処理済み画像データＳ１′の送信を行うようにすれば、画像処理についてのユーザの意図を確実に反映させた画像データＳ０または補正処理済み画像データＳ１′を画像サーバ３に送信することができる。
【００７８】
なお、上記実施形態においては、画像データＳ０および１つの補正処理済み画像データＳ１′のみを液晶モニタ１４に表示しているが、複数段階に補正がなされた複数の補正処理済み画像データおよび画像データＳ０を液晶モニタ１４に分割表示してもよい。例えば、３段階に補正がなされた３つの補正処理済み画像データを得た場合、図９に示すように液晶モニタ１４を４分割して補正前の原画像および３つの補正画像（それぞれ補正後１から３）を表示してもよい。また、図１０に示すように、これら４つの画像を順次液晶モニタ１４に表示してもよい。
【００７９】
さらに、上記実施形態においては、補正処理済み画像データＳ１′を画像サーバ３に送信しているが、画像データＳ０および補正処理済み画像データＳ１′を得るために必要な画像処理パラメータを画像データＳ０に付与して、画像サーバ３に送信してもよい。この場合、図１１に示すように、カメラ付き携帯電話１は、画像処理パラメータＰを画像データＳ０に付与する画像処理パラメータ付与手段１９を備えたものとなる。また、画像処理パラメータＰを画像データＳ０とは別個のファイルとして画像サーバ３に送信してもよい。
【００８０】
また、上記実施形態においては、画像データＳ０または補正処理済み画像データＳ１′の送信先の１つをカメラ付き携帯電話２としているが、カメラ無しの携帯電話やＰＤＡ等の携帯端末装置（不図示）等としてもよい。
【図面の簡単な説明】
【図１】本発明の実施形態による携帯端末装置を備えた画像処理システムの構成を示す概略ブロック図
【図２】原画像および補正画像の表示形態を示す図（その１）
【図３】原画像および補正画像の表示形態を示す図（その２）
【図４】画像処理手段および画像補正手段において行われる処理を示す概略ブロック図
【図５】カメラ付き携帯電話１において行われる処理を示すフローチャート
【図６】画像サーバにおいて行われる処理を示すフローチャート
【図７】ラボにおいて行われる処理を示すフローチャート
【図８】カメラ付き携帯電話２において行われる処理を示すフローチャート
【図９】原画像および補正画像の表示形態を示す図（その３）
【図１０】原画像および補正画像の表示形態を示す図（その４）
【図１１】本発明の他の実施形態による携帯端末装置の構成を示す概略ブロック図
【符号の説明】
１，２　　カメラ付き携帯電話
３　　画像サーバ
４　　ラボ
５　　携帯電話通信網
１１，２１　　カメラ
１２，２２，３１，４１　　通信手段
１３，２３，３２，４２　　画像処理手段
１４，２４　　液晶モニタ
１５，２５，３６，４５　　コントローラ
１６，２６　　画像処理場所決定手段
１７，２７　　入力手段
１８　　画像補正手段
１９　　画像処理パラメータ付与手段
３３　　保管手段
３４　　ＵＲＬ生成手段
３５　　メール作成手段
４３　　プリンタ
４４　　通知手段
【図１】
2004030251.tif 000003
【図２】
2004030251.tif 000004
【図３】
2004030251.tif 000005
【図４】
2004030251.tif 000006
【図５】
2004030251.tif 000007
【図６】
2004030251.tif 000008
【図７】
2004030251.tif 000009
【図８】
2004030251.tif 000010
【図９】
2004030251.tif 000011
【図１０】
2004030251.tif 000012
【図１１】
2004030251.tif 000013